(57)【要約】  オブジェクトを格納するための装置、及びオブジェクトを係合するためのシステムであって、少なくとも第１の壁部材及び第２の壁部材により画定される格納チャンバを備え、前記格納チャンバは、前記格納チャンバ内又は前記格納チャンバに隣接して配置された一つ又は複数のオブジェクトと係合するようにアレンジされた係合部材を含む。
2017505153.tif 000002
【特許請求の範囲】
【請求項１】
オブジェクトを格納する装置であって、
少なくとも第１の壁部材と、第２の壁部材とで画定される格納チャンバを備え、
前記格納チャンバは、前記格納チャンバ内、あるいは前記格納チャンバに隣接して配置された一つ又は複数のオブジェクトと係合するようにアレンジされた係合部材を含むことを特徴とするオブジェクトを格納する装置。
【請求項２】
前記係合部材は、磁気的相互作用を用いて、一つ又は複数のオブジェクトと係合するようにアレンジされていることを特徴とする請求項１に記載の装置。
【請求項３】
前記係合部材は、実質的に平面であることを特徴とする請求項１又は２に記載の装置。
【請求項４】
前記係合部材は、前記第１の壁部材又は前記第２の壁部材の内部に統合されていることを特徴とする請求項１乃至３のいずれか１項に記載の装置。
【請求項５】
前記係合部材と係合された前記一つ又は複数のオブジェクトは、前記係合部材と磁気的に相互作用をするようにアレンジされた金属製タグを有することを特徴とする請求項１乃至４のいずれか１項に記載の装置。
【請求項６】
前記係合部材は、複数の磁石を有するフレキシブルプレートを含むことを特徴とする請求項１乃至５のいずれか１項に記載の装置。
【請求項７】
前記磁石は、前記フレキシブルプレート上のマトリックス内に分布されていることを特徴とする請求項６に記載の装置。
【請求項８】
前記フレキシブルプレートは、プラスティックで製造されていることを特徴とする請求項６又は７に記載の装置。
【請求項９】
電気ケーブルを収納するスリーブをさらに備えることを特徴とする請求項１乃至８のいずれか１項に記載の装置。
【請求項１０】
無線充電モジュールをさらに備えることを特徴とする請求項１乃至９のいずれか１項に記載の装置。
【請求項１１】
前記無線充電装置は、前記係合部材に係合された前記一つ又は複数のオブジェクトと電気的に相互作用するようにアレンジされたことを特徴とする請求項１０に記載の装置。
【請求項１２】
前記無線充電モジュールは、前記係合部材に係合された前記オブジェクトが、前記無線充電装置と電気的に相互作用できるように、前記係合部材上に配置されるようにアレンジされた平坦な誘導コイルを含むことを特徴とする請求項１１に記載の装置。
【請求項１３】
前記平坦な誘導コイルは、前記係合部材上に積層されたことを特徴とする請求項１２に記載の装置。
【請求項１４】
オブジェクトを係合するためのシステムであって、
実質的に平坦にアレンジされたフレキシブル係合プレートを備え、
前記係合プレートは、前記オブジェクトと磁気的に係合するようにアレンジされた複数の磁気的部材を含むことを特徴とするシステム。
【請求項１５】
前記磁気的部材は、前記フレキシブルプレート上に均一に分布されていることを特徴とする請求項１４に記載のシステム。
【請求項１６】
前記磁気的部材は、マトリックス構成で分布されていることを特徴とする請求項１５に記載のシステム。
【請求項１７】
前記フレキシブルプレートは、アーティクル内に統合されるようにアレンジされていることを特徴とする請求項１４乃至１６のいずれか１項に記載のシステム。
【請求項１８】
前記フレキシブルプレートは、前記アーティクルの壁に縫合されるようにアレンジされていることを特徴とする請求項１７に記載のシステム。
【請求項１９】
前記アーティクルは、キャリア、バッグ又は衣類であることを特徴とする請求項１７又は１８に記載のシステム。
【請求項２０】
無線充電装置をさらに備えることを特徴とする請求項１４乃至１９のいずれか一項に記載のシステム。
【請求項２１】
前記無線充電装置は、前記フレキシブルプレートを伴って積層されるようにアレンジされた誘導プレートを有することを特徴とする請求項２０に記載のシステム。
【請求項２２】
オブジェクトを格納する装置であって、
一つ又は複数のオブジェクトを格納するようにアレンジされた格納チャンバを画定するように第２の壁部材を実質的に覆うようにアレンジされた第１の壁部材と、タブレットキャリングポーチをさらに含む格納チャンバと、
一つ又は複数のケーブルを収納するようにアレンジされたケーブルスロットと、
前記格納チャンバ内に配置された一つ又は複数のオブジェクトと磁気的に係合する前記第１の壁部材又は前記第２の壁部材内に統合されて形成された磁気的係合プレートとを備え、
前記磁気的係合プレートは、前記磁気的係合プレートに係合された前記一つ又は複数のオブジェクトに対して、前記平坦な誘導コイル部材から離間して、垂直に電束エネルギを無線で送信するように、前記磁気的係合プレート上に積層されるようにアレンジされた平坦な誘導コイル部材をさらに含むことを特徴とする装置。
【発明の詳細な説明】
【技術分野】
【０００１】
本発明は、オブジェクト（目的物）を格納するための装置及びオブジェクトを係合（ｅｎｇａｇｅ）するためのシステムに関する。本発明はまた、特に、排他的ではないが、一つ又は複数のオブジェクトと係合する磁気的システムを用いるオブジェクトを格納するための装置に関する。
【背景技術】
【０００２】
コンピュータ及びモバイル技術の進化に伴い、多くのユーザにとって、一度に持ち運ばなければならない多数の品物やツールを持つことは、珍しいことではない。アジアやアメリカの中流階級における典型的な消費者は、財布、携帯電話、及びタブレットコンピュータを含む多くの品物を、毎日のルーティンの一環として持ち運んでいるであろう。
【０００３】
これらの消費者により持ち運ばれる品物の数が増加してきたが、毎日の品物を持ち運ぶ消費者によって使用されるキャリア（運搬具、手提げ袋等）、バッグ又はフォルダ（ｆｏｌｄｅｒ）等の装置は、典型的なユーザによって持ち運ばれる数が増加しているオブジェクトを収納するために依然として進化していない。このことは、ユーザにおいて、彼らの品物を持ち運ぶための複数のキャリアを持ち運ばなければならない、あるいは多くの状況において、多くのユーザにとって、単一のキャリア内に彼らの全ての品物を混在させる結果をもたらしている。このことは不便で、かつ乱雑な配置に帰着し、それによってユーザが、いちいち特定の品物を取り出すために、バッグの中をかき分けるのに多大な時間をとらなければならない。
【０００４】
この問題に加えて、今日の近代的な電気製品は、本質的に繊細であり得る。携帯電話及びタブレットコンピュータのような品物は、鋭利な、あるいは堅い金属的な物体、例えば鍵や宝石類等に接触して配置されたとき、損傷を受ける可能性がある、繊細なタッチスクリーンを有する。従って、ユーザは、これらの品物を、バッグ内で混在した配置において、他の品物と離れて格納すべきであり、運搬の最中には、これらの繊細な品物が損傷を受けることが大いに起こり得る。
【発明の概要】
【課題を解決するための手段】
【０００５】
本発明の一つの態様において、オブジェクトを格納する装置であって、  少なくとも第１の壁部材と、第２の壁部材とで画定される格納チャンバを備え、前記格納チャンバは、前記格納チャンバ内、あるいは前記格納チャンバに隣接して配置された一つ又は複数のオブジェクトと係合するようにアレンジされた係合部材を含むことを特徴とするオブジェクトを格納する装置が提供される。
【０００６】
前記第１の態様の一実施の形態において、前記係合部材は、磁気的相互作用を用いて、一つ又は複数のオブジェクトと係合するようにアレンジされている。
【０００７】
前記第１の態様の一実施の形態において、前記係合部材は、実質的に平面である。
【０００８】
前記第１の態様の一実施の形態において、前記係合部材は、前記第１の壁部材又は前記第２の壁部材の内部に統合されている。
【０００９】
前記第１の態様の一実施の形態において、前記係合部材と係合された前記一つ又は複数のオブジェクトは、前記係合部材と磁気的に相互作用をするようにアレンジされた金属製タグを有する。
【００１０】
前記第１の態様の一実施の形態において、前記係合部材は、複数の磁石を有するフレキシブルプレートを含む。
【００１１】
前記第１の態様の一実施の形態において、前記磁石は、前記フレキシブルプレート上のマトリックス内に分布されている。
【００１２】
前記第１の態様の一実施の形態において、前記フレキシブルプレートは、プラスティックで製造されている。
【００１３】
前記第１の態様の一実施の形態において、前記装置は、電気ケーブルを収納するスリーブをさらに備える。
【００１４】
前記第１の態様の一実施の形態において、前記装置は、無線充電モジュールをさらに備える。
【００１５】
前記第１の態様の一実施の形態において、前記無線充電装置は、前記係合部材に係合された前記一つ又は複数のオブジェクトと電気的に相互作用するように配置される。
【００１６】
前記第１の態様の一実施の形態において、前記無線充電モジュールは、前記係合部材に係合された前記オブジェクトが、前記無線充電装置と電気的に相互作用できるように、前記係合部材上に配置されるようにアレンジされた平坦な誘導コイルを含む。
【００１７】
前記第１の態様の一実施の形態において、前記平坦な誘導コイルは、前記係合部材上に積層されている。
【００１８】
本発明の第２の態様に従い、オブジェクトを係合するためのシステムであって、実質的に平坦にアレンジされたフレキシブル係合プレートを備え、前記係合プレートは、前記オブジェクトと磁気的に係合するようにアレンジされた複数の磁気的部材を含むことを特徴とするシステムが提供される。
【００１９】
前記第２の態様の一実施の形態において、前記磁気的部材は、前記フレキシブルプレート上に均一に分布されている。
【００２０】
前記第２の態様の一実施の形態において、前記磁気的部材は、マトリックス構成で分布されている。
【００２１】
前記第２の態様の一実施の形態において、前記フレキシブルプレートは、アーティクル（ａｒｔｉｃｌｅ）内に統合されるようにアレンジされている。
【００２２】
前記第２の態様の一実施の形態において、前記フレキシブルプレートは、前記アーティクルの壁内に縫合されるようにアレンジされている。
【００２３】
前記第２の態様の一実施の形態において、前記アーティクルは、キャリア、バッグ又は衣類である。
【００２４】
前記第２の態様の一実施の形態において、前記システムは、無線充電装置をさらに備える。
【００２５】
前記第２の態様の一実施の形態において、前記無線充電装置は、前記フレキシブルプレートと積層されるようにアレンジされた誘導プレートを有する。
【００２６】
本発明の第３の態様に従って、オブジェクトを格納する装置であって、一つ又は複数のオブジェクトを格納するようにアレンジされた格納チャンバを画定するように第２の壁部材を実質的に覆うようにアレンジされた第１の壁部材と、タブレットキャリングポーチをさらに含む格納チャンバと、一つ又は複数のケーブルを収納するようにアレンジされたケーブルスロットと、前記格納チャンバ内に配置された一つ又は複数のオブジェクトと磁気的に係合する前記第１の壁部材又は前記第２の壁部材内に統合されて形成された磁気的係合プレートとを備え、前記磁気的係合プレートは、前記磁気的係合プレートに係合された前記一つ又は複数のオブジェクトに対して、前記平坦な誘導コイル部材から離間して、垂直に電束エネルギを無線で送信するように、前記磁気的係合プレート上に積層されるようにアレンジされた平坦な誘導コイル部材をさらに含むことを特徴とする装置が提供される。
【００２７】
本発明の実施の形態について、一例として、以下の図面を参照して記載する。
【図面の簡単な説明】
【００２８】
【図１】本発明の一実施の形態に従う、オブジェクトを格納するための装置の斜視図である。
【図２】図１の装置の正面図、側面図及び平面図である。
【図３】図１の装置の分解図である。
【図４Ａ】図１の装置の係合部材の実施の形態の平面図である。
【図４Ｂ】図４Ａの係合部材に係合されるようにアレンジされた係合タグの平面図である。
【図４Ｃ】図４Ａの係合部材の他の実施の形態の平面図である。
【図５】使用中の、オブジェクトと係合する図１の装置の説明図である。
【図６】オブジェクトを格納するための装置の他の実施の形態の説明図である。
【図７】オブジェクトを格納するための装置の他の実施の形態の説明図である。
【図８】図７の装置の係合部材の実施の形態の説明図である。
【図９】オブジェクトを格納するための装置の他の実施の形態の説明図である。
【発明を実施するための形態】
【００２９】
図１及び図２を参照し、オブジェクトを格納する装置１００の図示された実施の形態であって、少なくとも第１の壁部材１０４と第２の壁部材１０６とで画定される格納チャンバ（ｃｈａｍｂｅｒ  室）１０２を備え、格納チャンバ１０２は、格納チャンバ１０２内、あるいは格納チャンバ１０２に隣接して配置された一つ又は複数のオブジェクト１１０と係合するようにアレンジされた係合部材１０８を含む。
【００３０】
これらの実施の形態において、装置１００はバッグの形をしており、このバッグは、品物又はオブジェクト１１０を格納ようにアレンジされた格納チャンバ１０２を形成するために、第１の壁部材１０４と第２の壁部材１０６とを結合することによって形成されている。装置１００は開口部１１２を有し、この開口部１１２はユーザに対して、彼らの品物を格納しあるいはアクセスするためにチャンバ１０２にアクセスすることを提供する。開口部１１２は、この実施の形態では、ジッパ（ｚｉｐｐｅｒ）アレンジメント１１４によって封止される。但し、当業者であれば、あらゆる他のアレンジメント、例えばスリーブ（ｓｌｅｅｖｅ）、ボタン、ベルクロ（Ｖｅｌｃｒｏ）（登録商標）もまた可能であることが理解されるであろう。
【００３１】
この実施の形態では、装置１００はまた、ユーザが装置１００を持ち運ぶことができるように、一端に配置されたハンドル１１６又はストラップを有する。装置１００の格納チャンバ１０２内には、チャンバ１０２内に格納されている一つ又は複数の品物又はオブジェクト１１０と係合するようにアレンジされた係合部材１０８が存在する。格納チャンバ１０２内の品物やオブジェクト１１０に係合することにより、品物又はオブジェクト１１０は、チャンバ１０２内の周辺で制約なく放り出されることは無く、従って運搬中に損傷をうけるリスクを最小化する。さらに、ユーザが特定のオブジェクト１１０を取り出すために格納チャンバ１０２にアクセスするとき、全て個別に係合部材１０８に係合され、よって品物又はオブジェクトは個別に格納チャンバ１０２内に配置されるので、もはや異なるオブジェクトをかき分ける必要はない。
【００３２】
他は、ベルクロや他の留め具等の係合手段がまた可能ではあるが、好ましくは、係合部材１０８は、チャンバ１０２内に格納されたオブジェクト１１０と離脱可能に係合するように、磁気的相互作用を用いる。図３、４Ａ、４Ｂ、４Ｃ及び５に示されたように、係合部材１０８は、金属的あるいは磁気的オブジェクトに対して磁力を提供するために、アレイ又はマトリックス状に配置された複数の磁石１１８を含む。このようにしてチャンバ１０２内に配置されたオブジェクト１１０は、さらなる操作を伴うことなく、係合部材１０８に磁気的に吸引される場合には金属製であり、一方で、非金属のオブジェクトあるいは、係合部材１０８と磁気的に相互作用しないオブジェクト１１０は、金属製係合プレート又は係合タグ１２０と結合されることができ、これによりオブジェクト１１０は係合部材１０８に磁気的に吸引される。タグ１２０又は金属製プレートの実施の形態が、より詳細に図４Ａから４Ｃに示されている。
【００３３】
図３の分解図にさらに詳しく示されたように、装置１００は、二つのカバー部材（第１のカバー部材１０４、第２のカバー部材１０６）の間に、チャンバ１０２を形成するように、第２のカバー部材１０６上に実質的に折り重なるようにアレンジされた第１のカバー部材１０４を含む。本実施の形態では、この二つのカバー部材１０４、１０６は、また装置１００に対して外側及び内側の壁を提供するようにアレンジされている。本実施の形態では、この第１の層１０４は、装置１００の二つの側壁を形成するように、エッジに沿って、第２の層１０６に対して結合（図示されていない）されるようにアレンジされている。順に、これら二つの側壁の間に、オブジェクト１１０を格納するために用いられることができる空洞又はチャンバ１０２が存在する。相互に実質的に折り重なるようにアレンジされたフォルダのカバー部である第１及び第２の層と共にフォルダを形成するように、この空洞又はチャンバ１０２は、装置１００の前端及び側端に沿って走るようにアレンジされ、従って、第１の層１０４及び第２の層１０６に、結合されたエッジに対して開口するように、ジッパ１１４によってアクセスするために、開いたり閉じたりすることができる開口部１１２を介してアクセスされることができる。
【００３４】
このチャンバ１０２は、順に、例えば財布、携帯電話、ラップトップコンピュータ、タブレットコンピュータ、本、ノートパッド、文具、化粧具あるいは他の品物、あるいはユーザがチャンバ１０２内に格納したいオブジェクト等のオブジェクト１１０の格納のための空間を提供する。平面でない、あるいは大きい体積を有するオブジェクトを格納するときに、格納チャンバの空間が一時的に拡張するため弾力的に変形するように、望ましくは、カバー１２２は、例えば皮革、ナイロン、キャンバス、又はあらゆる他の適切な部材料等、ややフレキシブルな部材料から製造されている。しかし、例えば布、プラスティック、又は金属等の他の部材料がまた、外力に耐えることができる硬くて保護用のカバーを形成するために用いることができることを、当業者であれば理解できるであろう。
【００３５】
本実施の形態では、係合部材は、平坦な磁気板１０８であり、装置１００内に位置している。望ましくは磁気板１０８が、格納チャンバ１０２の壁全体にわたって係合表面を提供するように、磁気板１０８は、装置１００のカバー部材１２２内に統合される。本実施の形態に示されたように、磁気板１０８は、他の金属又は磁気的部材に対して磁力を提供するように、複数の磁石１１８を含み、これにより、金属性又は磁性のオブジェクト１１０は、ひとたびオブジェクトが磁性板１０８に接触し、又は付近にあると、順に、磁性板１０８に係合されることができ、従って、装置１００の位置内に係合される。
【００３６】
カバー層１０４、１０６の一つ内に磁性板１０８が統合され、ナイロン、皮革、または他のあらゆる適切なファブリック層であってよいファブリック２３０の層でこの板１０８を覆うことにより、磁性板１０８は、チャンバ１０２内に格納された品物又はオブジェクト１１０から保護されることができる。このことは、望むように色を付けることが可能なファブリック２３０の層の裏側に、磁性板１０８のプラスティック及び個々の磁石１１８を隠すことにより、装置１００の美的外観をまた高める一方で、磁性板１０８の摩耗や裂傷を増加させ得る衝突から、磁性板１０８が保護される点で有益である。
【００３７】
装置１００のこれらの実施の形態は、装置１００上又は装置１００内に、複数のオブジェクト１１０が隣接して配置されるとき、装置１００の係合部材１０８にオブジェクトが係合することができるという点で有益である。装置１００に対するそのような係合により、個々のオブジェクト１１０が装置１００内に係合されることができる。このことは、順に、係合部材１０８へのオブジェクトの係合が、運搬中にオブジェクト１１０が相互に接触することを防止しあるいは少なくとも最小限にするように、オブジェクト１１０が損傷を受けないことを確実にする。さらに、オブジェクト１１０が格納チャンバ１０２内に配置されると、係合部材１０８の係合表面の領域が一度に一つのオブジェクト１１０に係合することにより、係合部材１０８に係合された全てのオブジェクト１１０が自動的に仕分けされ、係合部材１０８上に配置される。このように、オブジェクト１１０は仕分けされて、ユーザによって容易にアクセスされるように配置される。
【００３８】
チャンバ１０２はまた、この実施の形態では、チャンバ１０２の中央付近に配置されたケーブル収納部材２３２を有する。ケーブル収納部材２３２は、気泡ゴム（ｆｏａｍ）又はプラスティックスリーブ、カラー（ｃｏｌｌａｒ  環状部材）、あるいはスロット２３４又は開口部を含むバッグであってもよく、これにより、ケーブルをスロット２３４内に確保することができ、これにより、チャンバ内で他のオブジェクト１１０と絡むことなく、ケーブルを適切に確保することを確実にする。
【００３９】
本実施の形態において、磁性板１０８は、対向する側が、ポーチ２３６を運搬するタブレットを有するにもかかわらず、装置１１０の２分の１の部分上のみに配置されている。他の実施の形態において、当業者であれば理解することができるように、磁性板１０８はまた、装置１００の対向部分上に配置されることができる。
【００４０】
図４Ａ及び４Ｃを参照すると、この例において、磁性板１０８の形態である係合部材１０８の実施の形態が存在する。この例において、磁性板１０８は、一般的に平坦な形状に形成され、図４Ｂに示されたように、係合タグ１２０に磁気的に吸引されるようにアレンジされた、板１０８上に配置された複数の磁石１１８を有する。オブジェクト１１０が係合タグ１２０と共に、係合部材１０８の付近に、又はその上に、あるいはそれと隣接して配置されるとき、係合タグ１２０が、係合タグ１２０に結合されるオブジェクト１１０と共に磁気的に係合部材１０８に係合されるように、係合タグ１２０は、この実施の形態において示されたように、金属板、あるいは、接着剤、ベルクロ、又は他の結合媒体によってオブジェクトに結合されるようにアレンジされた他の金属部材を有する。
【００４１】
望ましくは、板１０８全体に磁力が均一に拡がるように、複数の磁石１１８が、板１０８上に均一に分布される。そして、当業者であれば理解するように、磁石１１８が分布される様々なディメンジョン（ｄｉｍｅｎｓｉｏｎ）が存在する。図４Ｃに示されたように、Ａ４サイズのフォルダ（ｆｏｌｄｅｒ）／ホルダ（ｈｏｌｄｅｒ）の形態の装置１００内に最適に適合する１１インチ×９インチの磁性板１０８の一つの実施の形態において、１１インチ×９インチの板１０８上に、一列から１．５インチ、１．５インチ、１インチ、１．５インチ、１．５インチ離れて、次の列では、磁石１１８が１．５インチ、１．５インチ、１．２インチ、１．２インチ、１．５インチ及び１．５インチ離れて、磁石１１８が分布される。この実施の形態のレイアウトを用いることにより、磁石１１８は、このサイズの磁性板１０８上に均一に分布される。
【００４２】
本実施の形態では、装置１００内で見出されるようなフレキシブルな用途の環境内で、板１０８自体が統合されるようにする、フレキシブルなプラスティック部材から板１０８が製造され得る。幾つかの代替的な環境において、板１０８の一方の側面が、より軽い品物を弱い磁力で吸引及び係合し、その一方で他方の側面が、より強い磁力を有し、より重い品物を係合することができるように、板１０８の磁力はまた、慎重に、多様に変更され得る。
【００４３】
図５において示されたように、装置１００内で一旦、オブジェクトが載置されると、そのオブジェクトは、この例では、スマートフォン１１０であるが、スマートフォン１１０自体の上に配置された金属製部材１２０を有する。そして、この金属製部材１２０は、装置１１０のカバー１２２内に統合された磁性板１０８に吸引され、順に、スマートフォン１１０に対してカバー１２２へ係合させる。ユーザが、磁力に打ち勝って磁性板１０８からスマートフォン１１０を取り外すことを決定するまでの間は、金属製部材１２０と磁性板１０８との間の磁力によって、装置１００のその後の動作が、スマートフォン１１０の係合に影響を与えない。
【００４４】
図６に示されたように、係合部材１０８に係合されるオブジェクト１１０上に配置された金属製部材１２０は磁性部材１２０であるが、係合部材１０８は、金属製板であってもよい。このアレンジメントにおいて、オブジェクト１１０と係合部材１０８との間の磁気特性は、図１から図５の実施の形態から反転され、ある用途環境において有利であり得る。この実施の形態において、磁気源をオブジェクト１１０自体に対して移動させることにより、装置１００は、磁気に敏感な品物、例えば磁気テープ又は磁気ディスク等を運搬するため、これらの磁気に敏感な品物の磁気的障害のリスクを減少させることになる。
【００４５】
図７を参照し、オブジェクト１１０を格納するための装置７００の他の実施の形態が示されている。本実施の形態において、装置７００は、図１に示された装置１００に類似するが、装置７００内に格納され、あるいは装置７００に隣接する電子オブジェクトを無線で充電するようにアレンジされ配置された無線充電アレンジメント７４０をさらに含む。
【００４６】
本実施の形態では、誘導充電システムの形態である無線充電モジュール７４０が、図８に示されたように係合部材１０８を伴う層として配置されてもよい。この無線充電モジュール７４０は、エネルギを与えられると、電子装置の電源と接続して二次コイル配列内に磁束を貫通させる複数のコイル配列を含んでもよい。望ましくは、無線充電モジュール７４０は、係合部材１０８に対して層として結合されることができる平面的な板の形態をとっている。このことは、装置７００内にある間中、係合部材１０８に直接係合された電子オブジェクト１１０が、無線充電モジュール７４０により供給されるあらゆる磁束の直接経路にあるという点で有利である。これは、順に、電子装置の無線充電の効率を増加させる。
【００４７】
図９には、本発明の他の実施の形態が示される。本実施の形態では、格納チャンバ９００が、例えば、しかしこれに限定されないが、大人又は子供用のシャツ、コート、パンツ等の衣類の一品物上のポケットである。これらの実施の形態において、ポケット９００は、図４の実施の形態に類似した磁性板１０８と統合され得る結合された布地の断片から形成された空洞により画定される。これらの磁性板１０８は、適切なサイズに切断されることができ、そして順に、これらの衣類のポケット９００内に縫合されて、衣類上の係合部材を形成する。あるいは、磁性板１０８は、ポケット９００内に統合される必要はなく、品物及びオブジェクトが衣類のポケット９００内又は外部上における衣類に係合されることができるように、衣類自体の内側表面又は外側表面に統合される。
【００４８】
他の実施の形態において、例えばベルト９０２のような品物は、係合部材を形成し、ベルト９０２にオブジェクト１１０と磁気的に係合し得るように、ベルト９０２の一方の側面上に縫合された磁性板を有する。
【００４９】
これらの実施の形態は、ユーザがまた様々な品物を係合部材を用いて彼らの衣類に係合することができる点で、有利である。これらの係合部材１０８を彼らの衣類に統合することによって、ユーザは、オブジェクトがユーザの衣類に係合されていることが見えるように、係合部材１０８を有する係合表面の付近又はその上にオブジェクトや品物を簡単に持っていくことができる。
【００５０】
代替的な実施の形態において、装置１００、７００は、係合部材１０８の磁石１１８からの磁場の部分をシールドできる、格納チャンバ１０２内に耐磁性ポーチあるいは耐磁性部分を含む。これは、例えば、磁気テープ、磁気ディスク、あるいは磁気カード等の磁気的に敏感なオブジェクトが、磁気テープ、磁気ディスクあるいは磁気カード上のデータを消去されたり破壊されることなく、この耐磁性ポーチあるいは耐磁性部分内に格納されることができる点で有利である。
【００５１】
当業者であれば、幅広く記載されたように、本発明の精神あるいは範囲から逸脱することなく、特定の実施の形態に示された発明に対して様々な変形及び／又は修正を成し得ることが理解できるであろう。本実施の形態は、従って、あらゆる点において、例示されたものであり限定的なものでないと理解されるべきである。
【００５２】
ここで含まれている従来技術に対するあらゆる参照は、指定がない限りにおいて、この情報が一般的な共通の知識であると認めたものとして捉えられるべきではない。
【図１】
2017505153.tif 000003
【図２】
2017505153.tif 000004
【図３】
2017505153.tif 000005
【図４Ａ】
2017505153.tif 000006
【図４Ｂ】
2017505153.tif 000007
【図４Ｃ】
2017505153.tif 000008
【図５】
2017505153.tif 000009
【図６】
2017505153.tif 000010
【図７】
2017505153.tif 000011
【図８】
2017505153.tif 000012
【図９】
2017505153.tif 000013
【国際調査報告】
2017505153.tif 000014
2017505153.tif 000015
2017505153.tif 000016